(57)【要約】【課題】操作性を向上させることが可能となる段窓式の換気装置および開口部装置を提供する。【解決手段】矩形に構成される枠体を中間枠１０により上下に仕切り、中間枠１０により仕切られて構成された上枠部１１、下枠部１２にそれぞれ外開き式に上障子１３、下障子１４を装着する。中間枠１０に、上障子１３開閉用の第１の操作部１５と、下障子１４開閉用の第２の操作部１６とを備える。第１の操作部１５の操作力を上障子１３の開閉力に変換する第１の連結機構と、第２の操作部１６の操作力を下障子１４の開閉力に変換する第２の連結機構とを備える。【選択図】図１
2014043718.tif 000002
【特許請求の範囲】
【請求項１】
横枠及び縦枠により矩形に構成される枠体を中間枠により上下に仕切り、前記中間枠により仕切られて構成された上枠部、下枠部にそれぞれ上障子、下障子を装着し、少なくとも下障子は外開き式に構成してなる換気装置において、
前記中間枠に、前記下障子開閉用の操作部と、前記操作部の操作力を前記下障子の開閉力に変換する連結機構とを備えたことを特徴とする換気装置。
【請求項２】
請求項１に記載の換気装置において、
前記上障子を外開き式に構成すると共に、
前記中間枠に、前記上障子開閉用の操作部と、前記上障子の操作部の操作力を前記上障子の開閉力に変換する連結機構を備えたことを特徴とする換気装置。
【請求項３】
請求項２に記載の換気装置において、
前記上障子の操作部を前記中間枠の上部に配置し、前記下障子の操作部を前記中間枠の下部に配置したことを特徴とする換気装置。
【請求項４】
請求項２または３に記載の換気装置において、
前記上障子の操作部及び前記下障子の操作部を同方向に操作することにより、前記上障子の連結機構と前記下障子の連結機構とを互いに異なる方向に移動させる逆勝手開閉構造としたことを特徴とする換気装置。
【請求項５】
請求項１から４までのいずれか１項に記載の換気装置において、
前記上枠部内および前記下枠部内にそれぞれ固定の網戸を設けたことを特徴とする換気装置。
【請求項６】
請求項１から５までのいずれか１項に記載の換気装置において、
前記換気装置を、障子が固定された下枠位置の低いフィックス窓に横並びに配置したことを特徴とする換気装置。
【請求項７】
矩形に構成される枠体を左右に仕切る縦材を介して互いに隣り合って設けられる少なくとも一対の窓部を備えた開口部装置であって、
前記一対の窓部のうち一方の窓部は、中間枠により上下に仕切られた上枠部、下枠部にそれぞれ外開き式に上障子、下障子を装着してなり、
前記中間枠は、前記上障子開閉用の第１の操作部と、前記下障子開閉用の第２の操作部と、前記第１の操作部の操作力を前記上障子の開閉力に変換する第１の連結機構と、前記第２の操作部の操作力を前記下障子の開閉力に変換する第２の連結機構とを備えたことを特徴とする開口部装置。
【発明の詳細な説明】
【技術分野】
【０００１】
本発明は、ビルや住宅等に設置される換気装置と開口部装置に係わり、より詳しくは、段窓として構成される換気装置と開口部装置に関する。
【背景技術】
【０００２】
近年、温暖化対策や省エネおよび節電対策として換気装置が求められており、住宅用では、上下２段の開き窓を有する段窓が用いられてきている（特許文献１参照）。特に換気効率を高めた換気装置として、上窓と下窓の開き方向を逆方向としたいわゆる上下逆勝手開き窓が賞用されてきている。このような換気装置の開閉操作手段として、オペレータハンドルと称される回動式ハンドルの操作によって窓を開閉するものや、ラッチハンドルを用いたものがある。
【０００３】
このような換気装置のうち、オペレータハンドルを用いた従来の段窓式換気装置は、上窓と下窓との間を仕切る無目（中間枠）に上窓開閉用のオペレータハンドルを取付け、下枠に下窓開閉用のオペレータハンドルを取付けて構成される。また、ラッチハンドルを用いた従来の段窓式換気装置は、上下の各障子の自由端にラッチハンドルを取付けて構成される。
【先行技術文献】
【特許文献】
【０００４】
【特許文献１】特開２００２−１９４９５２号公報
【発明の概要】
【発明が解決しようとする課題】
【０００５】
近年のビルにおいても、換気装置が取付けられることが求められてきている。そして、このように換気装置として上下２枚の障子からなる段窓を設置する場合、下窓の開閉を行なうためのラッチハンドルが下窓に取付けられたり、オペレータハンドルが下窓の下枠に取付けられたりするため、開閉ハンドルの設置位置がフロア近くの低い位置となる。このため、下窓を開閉するためには、腰をかがめて開閉操作をする必要があるので、操作性が悪くなる。
【０００６】
本発明は、上記問題点に鑑み、操作性を向上させることが可能となる段窓式の換気装置と開口部装置を提供することを目的とする。
【課題を解決するための手段】
【０００７】
請求項１の換気装置は、横枠及び縦枠により矩形に構成される枠体を中間枠により上下に仕切り、前記中間枠により仕切られて構成された上枠部、下枠部にそれぞれ上障子、下障子を装着し、少なくとも下障子は外開き式に構成してなる換気装置において、
前記中間枠に、前記下障子開閉用の操作部と、前記操作部の操作力を前記下障子の開閉力に変換する連結機構とを備えたことを特徴とする。
【０００８】
請求項２の換気装置は、請求項１に記載の換気装置において、
前記上障子を外開き式に構成すると共に、
前記中間枠に、前記上障子開閉用の操作部と、前記上障子の操作部の操作力を前記上障子の開閉力に変換する連結機構を備えたことを特徴とする。
【０００９】
請求項３の換気装置は、請求項２に記載の換気装置において、
前記上障子の操作部を前記中間枠の上部に配置し、前記下障子の操作部を前記中間枠の下部に配置したことを特徴とする。
【００１０】
請求項４の換気装置は、請求項２または３に記載の換気装置において、
前記上障子の操作部及び前記下障子の操作部を同方向に操作することにより、前記上障子の連結機構と前記下障子の連結機構とを互いに異なる方向に移動させる逆勝手開閉構造としたことを特徴とする。
【００１１】
請求項５の換気装置は、請求項１から４までのいずれか１項に記載の換気装置において、
前記上枠部内および前記下枠部内にそれぞれ固定の網戸を設けたことを特徴とする。
【００１２】
請求項６の換気装置は、請求項１から５までのいずれか１項に記載の換気装置において、
前記換気装置を、障子が固定された下枠位置の低いフィックス窓に横並びに配置したことを特徴とする。
【００１３】
請求項７の開口部装置は、矩形に構成される枠体を左右に仕切る縦材を介して互いに隣り合って設けられる少なくとも一対の窓部を備えた開口部装置であって、
前記一対の窓部のうち一方の窓部は、中間枠により上下に仕切られた上枠部、下枠部にそれぞれ外開き式に上障子、下障子を装着してなり、
前記中間枠は、前記上障子開閉用の第１の操作部と、前記下障子開閉用の第２の操作部と、前記第１の操作部の操作力を前記上障子の開閉力に変換する第１の連結機構と、前記第２の操作部の操作力を前記下障子の開閉力に変換する第２の連結機構とを備えたことを特徴とする。
【発明の効果】
【００１４】
請求項１の発明によれば、上窓、下窓を仕切る中間枠に、下障子を開閉する操作部を設けたので、下障子を開閉する際の操作性が向上する。
【００１５】
請求項２、３の発明によれば、中間枠に、上障子、下障子をそれぞれ開閉する上障子の操作部、下障子の操作部をそれぞれ設けたので、上障子と下障子を開閉する際の操作性が向上する。
【００１６】
請求項４の発明によれば、上障子、下障子を上下逆勝手開閉構造としたので、換気効率が向上する。
【００１７】
請求項５の発明によれば、上枠部内および下枠部内にそれぞれ固定網戸を設けたので、障子を開閉する際に網戸を開閉する必要がなく、操作性、意匠性の良い換気装置が提供できる。
【００１８】
請求項６の発明によれば、ビル等に設置された下枠位置の低い換気装置を設けた場合でも、下障子の操作部を操作に好適な位置に設置することが可能となり、操作性の向上の面で顕著な効果が得られる。
【００１９】
請求項７の発明によれば、矩形に構成される枠体を左右に仕切る縦材を介して互いに隣り合って設けられる少なくとも一対の窓部を備えた開口部装置であって、前記一対の窓部のうち一方の窓部は、中間枠により上下に仕切られた上枠部、下枠部にそれぞれ外開き式に上障子、下障子を装着し、中間枠に、上障子、下障子をそれぞれ開閉する上障子の操作部、下障子の操作部をそれぞれ設けたので、上障子と下障子を開閉する際の操作性が向上する。
【図面の簡単な説明】
【００２０】
【図１】（Ａ）は本発明の一実施の形態の開口部装置を室内側から見た正面図、（Ｂ）は上下逆勝手開閉式窓の作用説明図である。
【図２】（Ａ）、（Ｂ）はそれぞれ図１のＥ−Ｅ拡大断面図、Ｙ−Ｙ拡大断面図である。
【図３】（Ａ）、（Ｂ）はそれぞれ障子を閉じた状態、開いた状態で示す図１のＦ−Ｆ拡大断面図である。
【図４】図３（Ａ）の要部拡大断面図である。
【図５】図２（Ａ）の要部拡大断面図である。
【図６】本実施の形態において、上障子を開いた状態を示す横断面図である。
【図７】本実施の形態において、上障子と下障子を共に開いた状態を示す横断面図である。
【図８】（Ａ）、（Ｂ）、（Ｃ）はそれぞれ本発明の換気装置および開口部装置の他の実施の形態を示す正面図である。
【図９】本発明の換気装置の他の実施の形態を示す断面図である。
【図１０】本発明の開口部装置の他の実施の形態を示す正面図である。
【発明を実施するための形態】
【００２１】
図１（Ａ）は本発明の一実施の形態の開口部装置を室内側から見た正面図である。図１（Ａ）において、１はビルに設置されるフィックス窓、２はこのフィックス窓１に横並びに設置される換気装置である。３，４はそれぞれフィックス窓１および換気装置２に共通の上枠および下枠、５，６，７は縦枠であり、一端側の縦枠５はフィックス窓１の一方の縦枠として用いられ、他端側の縦枠７は換気装置２の一方の縦枠として用いられ、両者間の縦枠６はフィックス窓１と換気装置２に共通の縦枠として用いられる。上枠３、下枠４および縦枠５〜７はアルミニウム合金製または樹脂製押出形材でなる。８はフィックス窓１の障子であり、この障子８はガラスで構成され、上枠３、下枠４および縦枠５，６で構成される枠内に嵌め殺し状に固定して設けられる。
【００２２】
なお、本実施形態では、フィックス窓１と換気装置２とは、共通の上枠および下枠、縦枠とするものについて示しているが、本発明はこの構成に限られず、それぞれ上枠および下枠、縦枠とにより枠組みされたものを方立により連結して連窓とするものであってもよい。
【００２３】
換気装置２の枠は上枠３、下枠４および縦枠６，７で構成される縦長の矩形の枠を無目と称される中間枠１０により仕切り、中間枠１０ないしその上部を上枠部１１として構成し、中間枠１０ないしその下部を下枠部１２として構成する。１３は上枠部１１に外開き式に取付けられた上障子、１４は下枠部１２に外開き式に取付けた下障子である。１５，１６はそれぞれ上障子１３、下障子１４を開閉する第1、第2の操作部であり、本実施の形態においては、これらの操作部がオペレータハンドルと称される回動式開閉ハンドルを用いた例について示す。
【００２４】
なお、中間枠１０は、フロアから約９０〜１５０ｃｍ程度に配置されており、これにより第１、第２操作部１５，１６が操作しやすい高さに配置されるため、換気装置の上障子１３、下障子１４を容易に開くことができる。本実施の形態では、上障子１３と下障子１４の形状を同一としているが、中間枠１０が上述した高さに配置されることにより操作性を向上させるため、上障子１３と下障子１４の縦方向の長さが異なるものとなってもよい。
【００２５】
図２（Ａ）、（Ｂ）はそれぞれ図１（Ａ）のＥ−Ｅ、Ｙ−Ｙ拡大断面図、図３（Ａ）、（Ｂ）はそれぞれ障子を閉じた状態、開いた状態で示す図１のＦ−Ｆ拡大断面図である。図４は図３（Ａ）の要部拡大断面図、図５は図２（Ａ）の要部拡大図である。図５において、１０ｃは中間枠１０に設けられたタッピングホールであり、中間枠１０はその両端を縦枠６，７に突き合わせてタッピングホール１０ｃにねじ込むタッピングねじ(図示せず)により縦枠６，７に固定される。
【００２６】
図４の断面図に示されるように、上障子１３は、例えば、アルミニウム合金製あるいは樹脂製の押出形材１３ａを主体とし、この主体１３ａは中空状に形成され、内部にタッピングホール１３ｂを有し、上下に框１３ｃ（図５参照）をタッピングねじ(図示せず)により固定して構成される。主体１３ａの片側には断面形状が半円弧状の枢着部１３ｄを有する。１７はこの枢着部１３ｄを回動可能に外嵌する障子取付け部１７ａを有するアタッチメントである。このアタッチメント１７は縦枠７における縦枠６との対向面に形成されたアタッチメント取付け部７ａに基部を嵌合して取付けられる。
【００２７】
下障子１４も上障子１３と同様に構成され、縦枠６の縦枠７との対向面に形成されたアタッチメント取付け部６ａに嵌合して取付けられるアタッチメント１８（図７参照）に回動可能に取付けられる。すなわち、上障子１３と上障子１４は上下逆勝手に開閉可能に取付けられた段窓として構成される。なお、本実施の形態では、幅寸法を短くするため、上障子１３や下障子１４を金属製や樹脂製の押出形材により構成しているが、フィックス窓に隣り合う換気装置の上障子１３と下障子１４にガラスや透光性のパネルを備えるものとしてもよい。
【００２８】
２０，２１はそれぞれ上障子１３、下障子１４の室内側に固定して取付けられる網戸である。図４、図５に示すように、網戸２０は４周に取付け用の端部材２０ａを有し、この端部材２０ａを中間枠１０、縦枠６，７に形成した略Ｕ字形の取付け溝、６ｂ，７ｂや上枠３に設けた取付け溝(図示せず)に押し込むゴム等でなる押込部材２２によって固定して取付けられる。下障子１４の室内側に設ける網戸２１も同様に取付け溝６ｂ，７ｂや中間枠１０の取付け溝１０ｂ、下枠４に取付けた取付け溝(図示せず)を用いて取付けられる。
【００２９】
図５において、１５は上障子１３を開閉するための第１の操作部、１６は下障子１４を開閉するための第２の操作部である。２４は第１の操作部１５の操作力を上障子１３に伝達する第１の連結機構、２５は第２の操作部１６の操作力を下障子１４に伝達する第２の連結機構である。
【００３０】
図５で示したように、操作部１５，１６は、それぞれハンドル２７，２８を有する操作ユニットとして構成されるもので、各操作ユニット１５，１６は、中間枠１０の上面にねじ等の固定具３０（図４参照）により取付けられる取付け板３１と、この取付け板３１に取付けられるガイド枠３３と、このガイド枠３３に沿って摺動可能に内蔵されたスライド枠３４とを備える。
【００３１】
この操作部１５は、ハンドル２７を回動させることにより、ガイド枠３３等に内蔵する歯車機構を介して、スライド枠３４をガイド枠３３に沿って移動させるように構成したものである。スライド枠３４の下面には取付け軸４０を中心に回動可能にアーム４１を取付ける。このアーム４１は第１の連結機構２４の一部を構成する。第２の操作部１６を構成する操作ユニットも同様の構成のユニットとして構成され、図５に示すように、第１の操作部１５を構成する操作ユニットと上下の向きおよび左右の向きを逆にして、中間枠１０の下面に同様の取付け構造により取付ける。
【００３２】
次に第１、第２の連結機構２４，２５について、第１の連結機構２４により代表させて説明する。図４は上障子１３が閉じた状態、図６は開いた状態を示す。図４、図６において、４３は中間枠１０に取付けられた軸、４４はこの軸４３に回動可能に取付けたアームである。このアーム４４の中間部に前記アーム４１の先端をピン４５により回動可能に連結する。４７は上障子１３の室内側の下部にねじ等の固定具４８により取付けたブラケットである。５０はこのブラケット４７と前記アーム４４との間をピン５１，５２により連結して取付けたアームである。
【００３３】
図７は上障子１３のみならず、下障子１４も開いた状態を示す平面図であり、第２の連結機構２５の構成を示す。図７において、３４Ａ，４０Ａは第１の操作部１５を構成するスライド枠３４、軸４０にそれぞれ相当し、４１Ａ，４４Ａ，４５Ａ，４７Ａ，５０Ａ，５１Ａ，５２Ａはそれぞれ第１の連結機構２４を構成するアーム４１、アーム４４、ピン４５、ブラケット４７、アーム５０、ピン５１，５２に相当するものであり、これらの部材は第１の操作部１５や第１の連結機構２４と同様に構成されるが、上下の向きを逆にして組合わされる。また、ブラケット４７Ａは図５に示すように、下障子１４の上部に取付けられる。
【００３４】
図４、図６、図７において、５４は上障子１３を閉じ状態でロックするために縦枠６に取付けたハンドル、５５はこのハンドル５４の操作により回動して上障子１３の自由端側に取付けたロッド５６を室内側に引き寄せてロックするロック爪である。下障子１４を閉じ状態でロックするためにも同様のロック機構が設けられる。
【００３５】
図４、図６、図７において、５８は縦枠６，７に設けられたゴム製のシール材であり、上障子１３が閉じている状態において、上障子１３の室内側の両端面を当接させるものである。図５に示すように、下障子１４に対しても同様のシール材５８が取付けられる。図５において、５９〜６２は中間枠１０に取付けられたゴム製のシール材であり、シール材５９は上障子１３が閉じている状態において、上障子１３の室内側の下端面を当接させるものである。上枠３にも上障子１３の室内側の上端面を当接させるシール材(図示せず)が設けられる。
【００３６】
シール材６０，６１は第2の連結機構２５を構成するアーム４１Ａやアーム４４Ａ，５０Ａおよびブラケット４７Ａとの干渉を避ける位置に設けたシール材であり、中間枠１０の下障子１４の上部に対面する位置に上下に間隔を有して設けられたものである。６２は中間枠１０の両端近傍であって、かつ平面視でシール材５８と重なる位置において、シール材６０，６１間に嵌合、接着により設けたシール材であり、下障子１４の両側からの空気、水の浸入を防止するものである。下枠４にも下障子１４の室内側の下端面を当接させる同様のシール材(図示せず)が取付けられる。図５において、６３は中間枠１０に取付けられて下障子１４の上端に当接するゴム製の水切り材、図７において、６４，６５はそれぞれ上障子１３，１４の先端に取付けられてそれぞれ縦枠６，７に当接するゴム製の水切り材である。
【００３７】
この構成において、図４に示すように、上障子１３が閉じた状態から開く場合には、ハンドル２７を回動させてスライド枠３４を図６の矢印Ｘ１方向、すなわち紙面上、左側から右側の方向に動かす。これにより、アーム４４が軸４３を中心に矢印Ｒ１で示すように回動し、上障子１３はアーム５０により押されて矢印Ｒ２に示すように回動して開く。ハンドル２７を反対方向に回動させると、前記と反対方向の動きで上障子１３は閉じる。下障子１４の場合は、これを開く際には、ハンドル２８を、上障子１３を開く際にハンドル２７を回す方向と同方向に回し、これにより、図７において、スライド枠３４Ａを矢印Ｘ２方向、すなわち紙面上、右側から左側の方向に動かす。これにより、アーム４４Ａが軸４３Ａを中心に矢印Ｒ３で示すように回動し、下障子１４はアーム５０Ａにより押されて矢印Ｒ４に示すように回動して開く。
【００３８】
このように上下逆勝手に上障子１３、下障子１４を開いた状態においては、図１（Ｂ）（室外側から見た図）に矢印Ｓ１で示すように、紙面上、右側から吹く風は上障子１３により阻まれて上方の開口部６６から室内に入り、室内に入った空気は下方の開口部６７から矢印Ｓ２で示すように室外に出る。反対に、矢印Ｓ３で示すように、紙面上、左側から吹く風は下障子１４により阻まれて下方の開口部６７から室内に入り、室内に入った空気は上方の開口部６６から矢印Ｓ４で示すように室外に出る。このような空気の流れにより、空気の流れ方向の如何にかかわらず、換気効率が向上する。
【００３９】
本実施の形態の換気装置２は、上窓、下窓を仕切る中間枠１０に、上障子１３、下障子１４をそれぞれ開閉する第１の操作部１５、第２の操作部１６を設けたので、上障子１３を開閉する際のみならず、下障子１４を開閉する際にも腰をかがめて操作部を操作する必要がなく、操作性が向上する。また、上障子１３を開閉する第１の操作部１５のみならず、下障子１４を開閉する第２の操作部１６も中間枠１０に設けたので、第2の操作部１６が極端に下位置になることがない上、網戸２０，２１はロール網戸や内開き式網戸にする必要がなく、図示のように固定網戸とすることが可能となるので、内観による意匠性が向上する。
【００４０】
また、本実施の形態のように、上枠部１１および下枠部１２にそれぞれ固定網戸２０，２１を設けた構造とすることにより、障子１３，１４を開閉する際に網戸２０，２１を開閉する必要がなく、操作性、意匠性の良い換気装置が提供できる。
【００４１】
また、本実施の形態においては、ビル等に設置された下枠位置の低いフィックス窓１に横並びに換気装置２を設けたので、第2の操作部１６を操作に好適な位置に設置することが可能となり、フロア面に置かれる荷物等に邪魔されるおそれがなく、操作性の向上の面で顕著な効果が得られると共に、意匠性の面でも顕著な効果を奏することができる。
【００４２】
図８（Ａ）〜（Ｃ）は本発明の換気装置の他の実施の形態を示す正面図である。図８（Ａ）は換気装置２が単独に設置される例であり、図８（Ｂ）はフィックス窓１の両側に換気装置２を設けた例であり、図８（Ｃ）はフィックス窓１，１の間に換気装置２を設けた例である。
【００４３】
図９は本発明の換気装置の他の実施の形態を示す断面図である。この実施の形態においては、上障子１３Aや下障子１４Aは４周の框７０，７１内にパネル７２，７３（本例では2重パネル）を固定して構成している。また、中間枠１０の上面、下面にそれぞれ樹脂製押出形材でなる化粧板兼枠材としてのパネル７４，７５で覆い、室内側の面も樹脂製押出形材でなる化粧板としてのパネル７６で覆って構成している。すなわち上下のパネル７４，７５は、第1の操作部１５と第2の操作部１６とが中間枠１０Aに対する取付け部材として用いると共に、これらのパネル７４，７５にそれぞれ網戸２０，２１の下端、上端を固定している。
【００４４】
７８，７９はそれぞれパネル７４，７５の室外側端部に設けたシール材であり、それぞれ上障子１３A、下障子１４Aの室内側の面を当接させるものである。８０は中間枠１０Aの室外側端部に設けた水切り材であり、框７１に当接させて室内側への水の浸入を防ぐものである。
【００４５】
本実施の形態においても、第1の操作部１５と第2の操作部１６が中間枠１０Aに取付けられるため、操作性が向上すると共に、樹脂製押出形材でなるパネル７４〜７６を用いることにより、さらなる意匠性の向上が達成できる。
【００４６】
上記実施の形態においては、中間枠１０，１０Ａの上部に上障子１３，１３Ａを開閉する第１の操作部１５、中間枠１０，１０Ａの下部に下障子１４，１４Ａを開閉する第２の操作部１６をそれぞれ設けたが、本発明はこれに限られるものではなく、第１の操作部１５及び第２の操作部１６の双方を中間枠１０，１０Ａの上部に設けたり、第１の操作部１５及び第２の操作部１６の双方を中間枠１０，１０Ａの下部に配置してもよい。また、上障子１３，１３Ａの操作部にカムラッチハンドルを用いてもよい。
【００４７】
また、例えば、図８（Ｂ）のように、フィックス窓の両側に換気装置が配置された場合、一方の換気装置の上障子１３と他方の上障子１３とを互いに異なる方向に開くようにしたり、一方の換気装置の上障子１３と他方の下障子１４とを互いに異なる方向に開くようにして換気をするようにしてもよい。
【００４８】
本発明を実施する場合、操作部１５，１６のハンドル２７，２８の回動を障子１３，１４の開閉に変換する機構としては、上記実施の形態で示した構成以外に種々のものが採用可能であり、ハンドル２７，２８の回動ではなく、スライド枠を左右に動かすことによって開閉する機構も採用可能である。また本発明は、上下逆勝手に開閉される窓のみではなく、同方向に開く窓として構成することも可能である。
【００４９】
図１０は本発明の開口部装置の他の実施の形態であり、これは中間枠１０で仕切られた上側の窓１３Ｂは開閉できない嵌め殺し窓として実現したものである。この場合、下障子１４のみが換気装置を構成することとなる。
【００５０】
その他、本発明を実施する場合、本発明の要旨を逸脱しない範囲において、種々の変更、付加が可能である。
【符号の説明】
【００５１】
１：フィックス窓、２：換気装置、３：上枠、４：下枠、５，６，７：縦枠、８：障子（ガラス）、１０：中間枠、１１：上枠部、１２：下枠部、１３：上障子、１４：下障子、１５：第１の操作部（操作ユニット）、１６：第2の操作部（操作ユニット）、１７，１８：アタッチメント、２０，２１：網戸、２２：押込部材、２４：第１の連結機構、２５：第２の連結機構、２７，２８：ハンドル、３１：取付け板、３３：ガイド枠、３４，３４Ａ：スライド枠、３５：筒体、３６：回転体，３６ａ：歯車、３７：歯車、３７ａ：外歯、３７ｂ：内歯、３８：ねじロッド、４０，４０Ａ：軸、４１，４１Ａ：アーム、４３，４３Ａ：軸、４４，４４Ａ：アーム、４５，４５Ａ：ピン、４７，４７Ａ：ブラケット、５０，５０Ａ：アーム、５１，５１Ａ，５２，５２Ａ：ピン
【図１】
2014043718.tif 000003
【図２】
2014043718.tif 000004
【図３】
2014043718.tif 000005
【図４】
2014043718.tif 000006
【図５】
2014043718.tif 000007
【図６】
2014043718.tif 000008
【図７】
2014043718.tif 000009
【図８】
2014043718.tif 000010
【図９】
2014043718.tif 000011
【図１０】
2014043718.tif 000012